(57)【要約】  【課題】  共振周波数を可変とすることにより、再生されるソフトに適した低域周波数特性のスピーカシステムを提供する。  【解決手段】  箱状のスピーカキャビネット１の前面１ａには、上半部にスピーカユニット２が取り付けられており、また同一面の下半部には外部へ通気する第１ダクト４が設けられていて、それぞれスピーカキャビネット１の内側後方へ突設している。また、スピーカキャビネット１の背面１ｂの下半部には、外部へ通気する第２ダクト５が設けられており、スピーカキャビネット１の内側前方へ突設している。さらに、背面１ｂには第２ダクト５を開閉する遮へいカバー６が設けられている。【選択図】      図１
2005086590.tif 000002
【特許請求の範囲】
【請求項１】
スピーカキャビネットにスピーカユニット及び複数のバスレフダクトを設け、該複数のバスレフダクトのうち少なくとも１つを開閉可能としたことを特徴とするスピーカシステム。
【請求項２】
前記バスレフダクトの開閉は、遮へいカバーの移動により行うことを特徴とする請求項１に記載のスピーカシステム。
【請求項３】
前記バスレフダクトの開口の割合は、該バスレフダクトに対する前記遮へいカバーの位置を変えることで調節することを特徴とする請求項２に記載のスピーカシステム。
【請求項４】
前記遮へいカバーをリモコン操作にて移動可能としたことを特徴とする請求項２又は請求項３に記載のスピーカシステム。
【発明の詳細な説明】
【技術分野】
【０００１】
本発明は、音響機器等に用いられるスピーカシステムに関するものである。
【背景技術】
【０００２】
従来より、このようなスピーカシステムとしては、スピーカキャビネットの前面又は背面にダクトを設けた、いわゆるバスレフ型のスピーカシステムが一般的である。なお、スピーカユニットは主としてスピーカキャビネットの前面に設けられるが、これに限定されるものではない。図７は、このような従来のスピーカシステムの一例を模式的に示す側面断面図である。同図において、箱状のスピーカキャビネット１の前面１ａには、スピーカユニット２が取り付けられており、また同一面に外部へ通気するいわゆるバスレフダクトであるダクト３が設けられていて、それぞれスピーカキャビネット１の内側後方へ突設している。
【０００３】
ここで、スピーカキャビネット１とダクト３の組み合わせにより得られる共振周波数は、スピーカユニット２の共振周波数よりも低く設定することができるので、スピーカシステムとしての低音再生周波数を低くすることが可能となる。なお、スピーカキャビネット１の背面１ｂにダクト３を設け、スピーカキャビネット１の内側前方へ突設する構成としても同様の効果が得られる。
【０００４】
ところが、このような構造を有する従来のスピーカシステムでは、スピーカキャビネット１とダクト３による単一共振を利用しており、共振周波数帯域前後の音圧レベルが低く、低音再生帯域が狭くなるので、再生されるソフト、例えば音楽や映画に適した低域特性を有する音の再生が困難であった。また、スピーカシステムの設置場所により、低域特性が異なったものになるという問題点があった。
【０００５】
そこで、スピーカシステムの低域特性を可変するようにしたバスレフ型スピーカシステムとして、開口面積の異なる複数の成型品ポートを用意し、選択された成型品ポートをバスレフダクト用の孔に嵌合してバスレフダクトの開口面積を選択的に可変するようにしたものが開示されている（例えば、特許文献１参照。）。
【特許文献１】実開昭６２−１４３３８１号公報
【発明の開示】
【発明が解決しようとする課題】
【０００６】
しかしながら、上記特許文献１に記載されているような構成では、最適な低域特性を得るために、予め開口面積の微妙に異なる多数の成型品ポートを用意しておかなければならず、コストアップとなる上に、スピーカシステムが一度設置，設定されてしまうと、残った成型品ポートは不用となることが多く、無駄となって保管場所にも困ることとなる。
【０００７】
本発明は、このような問題点に鑑み、従来例の欠点を解消し、共振周波数を可変とすることにより、再生されるソフトに適した低域周波数特性のスピーカシステムを提供することを目的とする。
【課題を解決するための手段】
【０００８】
上記目的を達成するために、本発明では、スピーカキャビネットにスピーカユニット及び複数のバスレフダクトを設け、その複数のバスレフダクトのうち少なくとも１つを開閉可能としたことを特徴としている。また、前記バスレフダクトの開閉は、遮へいカバーの移動により行う。さらに、前記バスレフダクトの開口の割合は、そのバスレフダクトに対する前記遮へいカバーの位置を変えることで調節する。その他、前記遮へいカバーをリモコン操作にて移動可能としても良い。
【０００９】
具体的には、例えば、スピーカキャビネットに、この外部に通気するいわゆるバスレフダクトである第１ダクト及び第２ダクトと、第２ダクトの開口の割合を可変とする遮へいカバーと、スピーカユニットが設けられて成る。第２ダクトは、遮へいカバーを上下に移動させることで開閉する。開口の割合は、第２ダクトに対する遮へいカバーの位置を変えることで調節する。つまり、遮へいカバーを動かすことで、第２ダクトの開口状態が変化し、異なる共振周波数特性が得られる。
【発明の効果】
【００１０】
本発明によれば、従来例の欠点を解消し、共振周波数を可変とすることにより、再生されるソフトに適した低域周波数特性のスピーカシステムを提供することができる。
【００１１】
具体的には、遮へいカバーを動かすことで、バスレフダクトの開口状態が変化し、異なる共振周波数特性が得られる。このように、共振周波数を変化させることで、再生されるソフトに適した低域周波数特性が得られる。
【００１２】
また、遮へいカバーをリモコン操作にて移動させる構成としておけば、使用者は音楽又は映画試聴時にその場から離れること無く、好みの低音となるようにスピーカシステムの低域周波数特性を変化させ、確認しながら試聴することができる。
【発明を実施するための最良の形態】
【００１３】
以下、本発明の実施の形態について、図面を参照しながら説明する。なお、前記従来技術と共通する部分には同一の符号を付して、詳細な説明を適宜省略する。本発明のスピーカシステムは、スピーカキャビネットに、この外部に通気するいわゆるバスレフダクトである第１ダクト及び第２ダクトと、第２ダクトの開口の割合を可変とする遮へいカバーと、スピーカユニットが設けられて成る。第２ダクトは、遮へいカバーを上下に移動させることで開閉する。開口の割合は、第２ダクトに対する遮へいカバーの位置を変えることで調節する。つまり、遮へいカバーを動かすことで、第２ダクトの開口状態が変化し、異なる共振周波数特性が得られる。このように、本発明のスピーカシステムは、共振周波数を変化させることで、再生されるソフトに適した低域周波数特性が得られる。
【実施例】
【００１４】
図１は、本発明のスピーカシステムの一例を模式的に示す側面断面図である。同図（ａ）は第２ダクトを開放した状態、同図（ｂ）は閉鎖した状態、同図（ｃ）は半開した状態をそれぞれ示している。同図において、箱状のスピーカキャビネット１の前面１ａには、上半部にスピーカユニット２が取り付けられており、また同一面の下半部には外部へ通気する第１ダクト４が設けられていて、それぞれスピーカキャビネット１の内側後方へ突設している。また、スピーカキャビネット１の背面１ｂの下半部には、外部へ通気する第２ダクト５が設けられており、スピーカキャビネット１の内側前方へ突設している。さらに、背面１ｂには第２ダクト５を開閉する遮へいカバー６が設けられている。但し、これらの配置関係に限定されるものではない。これらの詳しい構造については後述する。
【００１５】
同図（ａ）に示す状態は、第２ダクト５が開放されるように遮へいカバー６を位置決めした状態である。この場合、スピーカユニット２から発生した音波は、常時開放の第１ダクト４及び開放状態の第２ダクト５から放射される。同図（ｂ）に示す状態は、第２ダクト５が閉鎖されるように遮へいカバー６を位置決めした状態である。この場合、スピーカユニット２から発生した音波は、常時開放の第１ダクト４からのみ放射される。第２ダクト５は閉鎖状態のため音波は放射されない。同図（ｃ）に示す状態は、第２ダクト５が半開になるように遮へいカバー６を位置決めした状態である。この場合、スピーカユニット２から発生した音波は、常時開放の第１ダクト４及び半開状態の第２ダクト５から放射される。
【００１６】
図２は第２ダクト及び遮へいカバーの表面側斜視図であり、図３は遮へいカバーの裏面側斜視図である。図２に示すように、第２ダクト５は、外形が縦長の長方形状である枠５ａに板５ｂが取り付けられており、板５ｂの中心よりやや下側に円筒状のダクト部５ｃが設けられ、これが裏側に突設した構造となっている。また、板５ｂの左右端には、枠５ａとの間に摺動用スリット９が形成されている。さらに、板５ｂの左右端中央付近には、それぞれ縦方向複数箇所にロック用切り欠き１０が配列されている。
【００１７】
また、図２及び図３に示すように、遮へいカバー６の裏面側には、四隅にツメ７が突設しており、また左右端中央にそれぞれロック用ピン８が突設している。遮へいカバー６は、図２に示すように、第２ダクト５に矢印方向に取り付けられ、ツメ７を摺動用スリット９に係合させつつ、上下に移動させることで第２ダクト５を開閉する。開口の割合は、第２ダクト５の複数あるロック用切り欠き１０のうち、遮へいカバー６のロック用ピン８を嵌合させるものを選択することで調節する。
【００１８】
図４は、スピーカキャビネットに第２ダクトが取り付けられた状態を示す図であり、同図（ａ）は平面断面図、同図（ｂ）は正面図である。なお、ここで言う正面とは第２ダクトの正面であり、スピーカキャビネットの背面に該当する。また、同図（ａ）は同図（ｂ）のＡＡ断面である。同図に示すように、スピーカキャビネット１の背面１ｂには、外部へ通気する第２ダクト５が設けられており、円筒状のダクト部５ｃがスピーカキャビネット１の内側前方へ突設している。
【００１９】
さらに、第２ダクト５（詳しくはダクト部５ｃ）を開閉する遮へいカバー６が設けられている。このとき、同図（ａ）に示すように、遮へいカバー６のツメ７が摺動用スリット９に係合している。また、同図（ｂ）では最下段のロック用切り欠き１０に遮へいカバー６のロック用ピン８が嵌合し、遮へいカバー６によりダクト部５ｃが閉鎖された状態を描いてある。ここで、ロック用ピン８を嵌合させるロック用切り欠き１０を選択することにより、ダクト部５ｃの開口の割合を段階的に調節することができる。また図示しないが、遮へいカバー６を上下に連続的に移動させ、移動範囲内のどこにでも固定可能な構造とすれば、ダクト部５ｃの開口の割合を無段階で調節することができる。
【００２０】
図５にスピーカシステムの周波数特性を示す。同図（ａ）は本発明の実施例における第２ダクトの開放状態での周波数特性、同図（ｂ）は本発明の実施例における第２ダクトの閉鎖状態での周波数特性、同図（ｃ）は従来例における周波数特性をそれぞれ示している。まず、同図（ａ）に示すように、第２ダクト５が開放状態である場合は、第１ダクト４及び第２ダクト５の２つのダクトが機能し、低域の延びは少ないが音圧レベルが高くなっている。これは、主に映画再生時の迫力ある低音再生に適している。
【００２１】
次に、同図（ｂ）に示すように、第２ダクト５が閉鎖状態である場合は、第１ダクト４のみが機能し、前記のものと比較して低域に延びがあるが、音圧レベルは低くなっている。これは、主に純粋な音楽再生時の深みのある低音再生に適している。また、同図（ｃ）に示すように、従来例の場合は、前記二者の中間的な特性となっている。実際の使用時には、各使用者の好みが異なるので、上述のように遮へいカバーを開閉させることで、好みの低音域及び音圧に調整し、再生されるソフトに適した低域周波数特性のスピーカシステムを得ることができる。
【００２２】
また、本実施例では第１ダクト及び第２ダクトを設け、第２ダクトを開閉可能としているが、このような構成に限定されるものではなく、複数のバスレフ用のダクトを設けて少なくとも１つのダクトを開閉可能とすれば良い。
【００２３】
さらに、本実施例にて説明していないが、遮へいカバーをリモコン操作にて移動させることにより、ダクトの開閉更にはダクトの開口の割合を調節可能な構成としておけば、使用者は音楽又は映画試聴時にその場から離れること無く、好みの低音となるようにスピーカシステムの低域周波数特性を変化させ、確認しながら試聴することができる。
【００２４】
具体的には、図６に示すように、スピーカキャビネット１にモータ１１を設けて、遮へいカバー６を摺動させることができる。或いは、遮へいカバー６にモータ１１を設けて摺動させることもできる。さらに、具体的な機構としてラック・ピニオン等を用いることによっても実現できる。
【図面の簡単な説明】
【００２５】
【図１】本発明のスピーカシステムの一例を模式的に示す側面断面図。
【図２】第２ダクト及び遮へいカバーの表面側斜視図。
【図３】遮へいカバーの裏面側斜視図。
【図４】スピーカキャビネットに第２ダクトが取り付けられた状態を示す図。
【図５】スピーカシステムの周波数特性。
【図６】遮へいカバー摺動用のモータを設けたスピーカシステムを示す側面断面図。
【図７】従来のスピーカシステムの一例を模式的に示す側面断面図。
【符号の説明】
【００２６】
１    スピーカキャビネット
２    スピーカユニット
４    第１ダクト
５    第２ダクト
６    遮へいカバー
７    ツメ
８    ロック用ピン
９    摺動用スリット
１０    ロック用切り欠き
１１    モータ
【図１】
2005086590.tif 000003
【図２】
2005086590.tif 000004
【図３】
2005086590.tif 000005
【図４】
2005086590.tif 000006
【図５】
2005086590.tif 000007
【図６】
2005086590.tif 000008
【図７】
2005086590.tif 000009